(57)【要約】【課題】信頼性の高いパイプ接続部を形成するために、現場でのパイプ切断を正確に行うこと、及び管継ぎ手に対するパイプ端の差し込み長さを正確に表示することを可能ならしめた使い勝手にも優れるパイプ切断用ガイドを提供する。【解決手段】半円筒体４、４を対向させて左右に配置し、その半円筒体４、４の上側の側縁部を第１ヒンジ５で連結した本体部２と、対のアーム７、７の下端を第２ヒンジ８で半円筒体４、４に個別に連結し、さらに、アーム７、７の上端を第３ヒンジ９で互いに結合し、アーム７、７に閉じ力を加える弾性体１０を付加して構成される吊り下げ具３とでパイプ切断用ガイド１を構成し、この切断用ガイド１を被処理パイプに装着し、軸心に対して直角に形成された本体部２の端縁をガイドにして被処理パイプに切断点を示す線や管継ぎ手に対する差し込み長さを示す線を書き込めるようにした。【選択図】図１
2005324282.tif 000002
【特許請求の範囲】
【請求項１】
被処理パイプの外周にあてがう２個の半円筒体を対向させて左右に配置し、その２個の半円筒体の上側の側縁部を本体部の軸心と平行な支軸を有する第１ヒンジで連結し、その第１ヒンジを支点にして各半円筒体を開閉可能となした円筒状の本体部と、
その本体部を跨ぐ対のアームを有し、各アームの下端を第１ヒンジと同一向きの支軸を有する第２ヒンジで各半円筒体に個別に連結し、さらに、各アームの上端を第１ヒンジと同一向きの支軸を有する第３ヒンジで互いに連結し、対のアームに閉じ力を加える弾性体を付加して構成される吊り下げ具とから成り、
前記本体部の端縁が本体部の軸心に対して直角に形成されたパイプ切断用ガイド。
【請求項２】
前記本体部の長さを、管継ぎ手に対する被処理パイプの差し込み長さに一致させた請求項１に記載のパイプ切断用ガイド。
【請求項３】
前記本体部の外周面に、長さ計測用の目盛りを付与した請求項１に記載のパイプ切断用ガイド。
【請求項４】
第３ヒンジの支軸を着脱自在にして前記吊り下げ具を本体部に対して着脱自在となした請求項１乃至３のいずれかに記載のパイプ切断用ガイド。
【発明の詳細な説明】
【技術分野】
【０００１】
この発明は、上水用管路や下水用管路などとして敷設する大径パイプを施工現場で正確に切断することを可能ならしめるパイプ切断用ガイドに関する。
【背景技術】
【０００２】
パイプを敷設する場合、正確なパイプ切断と管継ぎ手に対する差し込み長さの正確な調整が要求される。
【０００３】
ところが、現場でのパイプ切断は、サンダー等の電動工具を使用して狭い場所で作業者の勘に頼って作業を進めるので、上記の要求に応えるのが簡単でなく、大径パイプを処理する場合には特に、切り目の始端と終端の位置がずれてパイプ端に段差ができたり、パイプ端が軸心と直角な面に対して傾いたりすることが多い。
【０００４】
そのような、不良処理のパイプ端を管継ぎ手に差し込むと、得られるパイプ接続部の信頼性が低下する。また、パイプ端が正確に処理されていても、管継ぎ手に対する差し込み長さを作業者の勘に頼って判断していたために差し込みが不十分になることがあり、これによるパイプ接続部の信頼性低下も起こっていた。
【発明の開示】
【発明が解決しようとする課題】
【０００５】
この発明は、信頼性の高いパイプ接続部を形成するために、現場でのパイプ切断を正確に行うこと、及び管継ぎ手に対するパイプ端の差し込み長さを正確に表示することを可能ならしめた使い勝手にも優れるパイプ切断用ガイドを提供することを課題としている。
【課題を解決するための手段】
【０００６】
上記の課題を解決するため、この発明においては、被処理パイプの外周にあてがう２個の半円筒体を対向させて左右に配置し、その２個の半円筒体の上側の側縁部を本体部の軸心と平行な支軸を有する第１ヒンジで連結し、その第１ヒンジを支点にして各半円筒体を開閉可能となした円筒状の本体部と、
その本体部を跨ぐ対のアームを有し、各アームの下端を第１ヒンジと同一向きの支軸を有する第２ヒンジで各半円筒体に個別に連結し、さらに、各アームの上端を第１ヒンジと同一向きの支軸を有する第３ヒンジで互いに連結し、対のアームに閉じ力を加える弾性体を付加して構成される吊り下げ具とから成り、前記本体部の端縁が本体部の軸心に対して直角に形成されたパイプ切断用ガイドを提供する。
【０００７】
このパイプ切断用ガイドは、本体部の長さを管継ぎ手に対する被処理パイプの差し込み長さに一致させ、或いは、本体部の外周面に長さ計測用の目盛りを付与するとより好ましいものになる。
【０００８】
また、第３ヒンジの支軸を着脱自在にして前記吊り下げ具を本体部に対して着脱自在となすのも好ましい。
【発明の効果】
【０００９】
この発明のパイプ切断用ガイドは、本体部を被処理パイプの外周にあてがい、本体部の端縁を定規にして被処理パイプに切断点を示す線を描く。本体部の端縁は、パイプの軸心に対してほぼ直角になっており、これを定規にして描いた線は正確な切断点を示す。従って、現場での作業でも正確な切断を行うことができる。
【００１０】
管継ぎ手に対するパイプ端の差し込み長さを示す線も、本体部の端縁を定規にして被処理パイプに入れることができ、その線の位置までパイプ端を管継ぎ手に差し込むことでパイプの接続不良をなくすることができる。
【００１１】
このパイプ切断用ガイドは、吊り下げ具を持ち上げると第２ヒンジによる結合点に引き上げ力が加わって本体部の半円筒体が第１ヒンジを支点にして開き、一方、開いた本体部を被処理パイプに載せて吊り下げ具を下げると本体部が自然に閉じて被処理パイプの外周に装着され、従って、取り扱いはいたって簡単である。
【００１２】
なお、本体部の長さを管継ぎ手に対する被処理パイプの差し込み長さに一致させたものは、本体部の両端をガイドにして切断点を示す線と差し込み長さを示す線を同時に入れることができる。
【００１３】
また、本体部の外周面に長さ計測用の目盛りを付与したものは、必要な差し込み長さを本体部で計測することができ、専用のメジャーが無くても作業を行える。
【００１４】
このほか、吊り下げ具を着脱自在となしたものは、１つの吊り下げ具を共通の吊り下げ具にしてサイズの異なる本体部と組み合わせることができ、経済性に優れる。
【発明を実施するための最良の形態】
【００１５】
以下、この発明の実施の形態を、添付図面の図１〜図５に基づいて説明する。例示のパイプ切断用ガイド１は、図１及び図２に示すように、円筒状の本体部２と、その本体部２の吊り下げ具３とから成る。
【００１６】
本体部２は、２個の半円筒体４、４を、垂直軸を基準にして左右対照となるように、かつ、略円筒状となるように対向させ、この半円筒体４、４の上側に位置した側縁部を第１ヒンジ５で互いに連結して構成されている。各半円筒体４、４は、被処理パイプＰのサイズに応じてパイプ外径に適合したものが用いられる。
【００１７】
第１ヒンジ５は、本体部２の軸心と平行な支軸を有するヒンジであり、この第１ヒンジ５を支点にして各半円筒体４、４を回動させ、本体部２を開閉することができる。
【００１８】
本体部２は、その長さＬを管継ぎ手に対する被処理パイプの差し込み長さと同一にしたもの、或いは、図３に示すように、外周に長さ計測用の目盛り６を付与したものが好ましい。この本体部２の両端の縁は、本体部２の軸心と直交する面上にある。
【００１９】
吊り下げ具３は、下側部分を相反する向きに湾曲させた２個のアーム７、７と、各アーム７、７の下端を２個の半円筒体４、４の外周に個別に結合させる第２ヒンジ８、８と、各アーム７、７の上端を互いに連結する第３ヒンジ９と、対のアーム７、７に閉じ力を加える弾性体１０とで構成されている。
【００２０】
第２ヒンジ８、８と、第３ヒンジ９は、支軸８ａ、９ａの向きが第１ヒンジ５と同じであり、本体部２とアーム７、７は同一方向に開閉する。第２ヒンジ８は、本体部２のスムーズな開閉のために、半円筒体４の周方向中間点付近に配置するのがよい。
【００２１】
以上の如く構成したパイプ切断用ガイド１は、吊り下げ具３を持ち上げると、図５に実線で示すように半円筒体４、４が第１ヒンジ５を支点にして回動して本体部２が開く。そこで、第１ヒンジ５による半円筒体４、４の結合部を被処理パイプＰ上に載せ、吊り下げ具３を降下させる。この動作で本体部２が自然に閉じて半円筒体４、４が被処理パイプＰの外周にあてがわれる。この状態では、本体部２の端縁が被処理パイプＰの軸心に対してほぼ直角になっているので、この端縁をガイドにして被処理パイプＰに切断点を示す線を書き込み、その線に沿ってパイプを切断する。
【００２２】
管継ぎ手に対するパイプ端の差し込み長さを示す線も、本体部２の端縁をガイドにして書き込む。このパイプ端の差し込み長さを示す線は、本体部２の長さが差し込み長さと同じになっている場合には、切断線を書き込むときに同時に書き込むことができる。本体部２の長さがパイプ端の差し込み長さと一致していなければ、書き込み点を計測して印をつけ、その印の位置に本体部２の端縁がくるようにパイプ切断用ガイド１の取付け位置を修正して線の書き込みを行う。本体部２に目盛り６を形成したものは、その目盛り６を利用して書き込み点を計測することができ、作業性に優れる。
【００２３】
なお、図示のパイプ切断用ガイド１は、図３に示すように、アーム７の下端に設けたブッシュ８ｂと半円筒体４に設けた軸受８ｃに第２ヒンジ８の支軸８ａを通しており、先端を片側の軸受８ｃに螺合させたその支軸８ａを取り外すことができる。その支軸８ａを外すと吊り下げ具３が本体部２から外れ、従って、例示の吊り下げ具３は、共通の接続部を設けることで異サイズの本体部と組み合わせて使用することができ、共用による経済性の向上、保管・管理の簡易化などが期待できるが、吊り下げ具３を取り外し可能となすことは必須の事項ではない。
【００２４】
また、被処理パイプＰが大径になると、使用するパイプ切断用ガイド１も大型化するので、半円筒体４をＰＶＣなどの硬質樹脂やアルミニウムなどの軽量金属で形成して、重量を極力削減するのが好ましい。
【００２５】
このほか、手で吊り下げるのが容易でない大型のパイプ切断用ガイド１は、図４に示すように、吊り下げ具３の上部にフック掛け１１を設けて被処理パイプに対する着脱を吊り具を使用して行えるようにしておくとよい。
【図面の簡単な説明】
【００２６】
【図１】この発明のパイプ切断用ガイドの一例を示す端面図
【図２】図１のパイプ切断用ガイドの使用状態を示す斜視図
【図３】目盛りを付与したパイプ切断用ガイドの側面図
【図４】フック掛けを設けたパイプ切断用ガイドの端面図
【図５】被処理パイプに対する着脱動作を示す図
【符号の説明】
【００２７】
１      パイプ切断用ガイド
２      本体部
３      吊り下げ具
４      半円筒体
５      第１ヒンジ
６      目盛り
７      アーム
８      第２ヒンジ
９      第３ヒンジ
１０    弾性体
１１    フック掛け
Ｐ      被処理パイプ
【図１】
2005324282.tif 000003
【図２】
2005324282.tif 000004
【図３】
2005324282.tif 000005
【図４】
2005324282.tif 000006
【図５】
2005324282.tif 000007